(57)【要約】【課題】圧縮機本体の振動を製品本体に伝わるのを抑制し、さらに、圧縮機からの音を製品本体から出ていくのを低減することがきる圧縮機の防振、防音構造を提供することを目的とする。【解決手段】冷媒を圧縮するための圧縮機１と、通過する空気に放熱するための第一熱交換器１０３と、前記冷媒を膨張するための流量制御弁１０４と、前記通過する空気から吸熱するための第二熱交換器１０５とを順に連結し、前記冷媒を流通させるための冷媒回路を設けた冷凍サイクルを本体の外郭内に配した浴室換気空調装置２において、前記圧縮機１の外周部に前記圧縮機１の全体を覆う遮蔽構造体３を設けたことにより、圧縮機１からの音を遮蔽構造体３の内部で閉じ込められ、圧縮機特有の音が製品から漏れること低減でき製品騒音値を下げることができる浴室換気空調装置を提供できる。【選択図】図１
2008232492.tif 000002
【特許請求の範囲】
【請求項１】
冷媒を圧縮するための圧縮機と、通過する空気に放熱するための第一熱交換器と、前記冷媒を膨張するための流量制御弁と、前記通過する空気から吸熱するための第二熱交換器とを順に連結し、前記冷媒を流通させるための冷媒回路を設けた冷凍サイクルを本体の外郭内に配した浴室換気空調装置において、前記圧縮機の外周部に前記圧縮機の全体を覆う遮蔽構造体を設けたことを特徴とする浴室換気空調装置。
【請求項２】
遮蔽構造体を、少なくとも、底辺には固定部材と、外周部には概略円筒状の円筒体と、上部には上部遮蔽体とで構成することを特徴とする請求項１記載の浴室換気空調装置。
【請求項３】
遮蔽構造体を、防振構造を介して本体の外郭内に固定することを特徴とする請求項１または２記載の浴室換気空調装置。
【請求項４】
遮蔽構造体を、本体の外郭内の上部と連結し固定することを特徴とする請求項１〜３のいずれかに記載の浴室換気空調装置。
【請求項５】
遮蔽構造体を、本体の外郭内の下部と連結し固定することを特徴とする請求項１〜４のいずれかに記載の浴室換気空調装置。
【請求項６】
圧縮機を、防振部材を介して遮蔽構造体と固定することを特徴とする請求項１〜５のいずれかに記載の浴室換気空調装置。
【請求項７】
遮蔽構造体を、防振構造を介して本体の外郭内に固定することを特徴とする請求項６記載の浴室換気空調装置。
【請求項８】
遮蔽構造体を、本体の外郭内の上部と連結し固定することを特徴とする請求項６まはた７記載の浴室換気空調装置。
【請求項９】
遮蔽構造体が、遮蔽構造体の下部に位置する本体外郭と連結されることで固定されていることを特徴とする請求項６または７に記載の浴室換気空調装置。
【請求項１０】
遮蔽構造体の内部に、吸音材を設けたことを特徴とする請求項１〜１０のいずれかに記載の浴室換気空調装置。
【請求項１１】
遮蔽構造体の外部に、吸音材を設けたことを特徴とする請求項１〜１０のいずれかに記載の浴室換気空調装置。
【発明の詳細な説明】
【技術分野】
【０００１】
本発明は、冷凍サイクルを構成し圧縮機を搭載した浴室換気空調装置の騒音及び振動を防止する圧縮機の取付装置に関する。
【背景技術】
【０００２】
従来の冷凍サイクルの冷媒は、図１１に示すように、圧縮機１０１から吐出配管１０２、第一熱交換器１０３、流量制御弁１０４、第二熱交換器１０５、吸込配管１０６、アキュームレータ（図示せず）を介して圧縮機１０１に戻り、上記構成により冷凍サイクルが完成する。圧縮機１０１の取付は圧縮機１０１を取り付ける底板１０７にボルト１０８及びナット１０９で圧縮機１０１を固定し、この圧縮機１０１と底板１０７との間に防振ゴム１０９を介して固定する。
【０００３】
さらに、圧縮機１０１とアキュームレータとの周囲をフエルトからなる防音カバー１１０巻いている（例えば、特許文献１、２参照）。
【０００４】
圧縮機１０１が運転すると、圧縮機１０１から騒音及び振動が発生し、特に圧縮機１０１の起動、停止時に振動が大きく、防振ゴム１０９で圧縮機１０１の振動を吸収し、さらに、圧縮機１０１と接続している吐出配管１０２、吸入配管１０６へ伝わる振動を小さくし、配管応力を小さくし、配管が折れないようにしている。
【０００５】
しかし、圧縮機１０１の取り付けや、運転状態によっては振動が大きく、圧縮機１０１の足１１１から底板１０７へ伝播したり、防振ゴム１０９の許容範囲を超えて、防振効果も低下し、また、防音カバー１１０で音が漏れにようにしているものが、振動が振動音となり製品の外へ出てしまう。
【特許文献１】特開平５−４４９６３号公報
【特許文献２】特開平８−３６３８９号公報
【発明の開示】
【発明が解決しようとする課題】
【０００６】
このような従来の冷凍サイクルの圧縮機の防音の構造は、圧縮機が運転することによって圧縮機全体が揺れ、圧縮機を止めている防固定具や、圧縮機周りに配置した配管が製品本体を構成している構造体などに接触し、振動が本体に伝わり、製品振動が大きくなったり、圧縮機の音が製品から漏れ騒音値が大きくなるという課題がある。
【０００７】
本発明は、このような従来の課題を解決するものであり、圧縮機本体の振動を製品本体に伝わるのを抑制し、さらに、圧縮機からの音を製品本体から出ていくのを低減することができる冷凍サイクルを設けた浴室換気空調装置を提供することを目的とする。
【課題を解決するための手段】
【０００８】
本発明の浴室換気空調装置は、上記目的を達成するために、冷媒を圧縮するための圧縮機と、通過する空気に放熱するための第一熱交換器と、前記冷媒を膨張するための流量制御弁と、前記通過する空気から吸熱するための第二熱交換器とを順に連結し、前記冷媒を流通させるための冷媒回路を設けた冷凍サイクルを本体の外郭内に配した浴室換気空調装置において、前記圧縮機の外周部に前記圧縮機の全体を覆う遮蔽構造体を設けたものである。
【０００９】
また、他の手段は、遮蔽構造体を、少なくとも、底辺には固定部材と、外周部には概略円筒状の円筒体と、上部には上部遮蔽体とで構成するものである。
【００１０】
また、他の手段は、遮蔽構造体を、防振構造を介して本体の外郭内に固定するものである。
【００１１】
また、他の手段は、遮蔽構造体を、本体の外郭内の上部と連結し固定するものである。
【００１２】
また、他の手段は、遮蔽構造体を、本体の外郭内の下部と連結し固定するものである。
【００１３】
また、他の手段は、圧縮機を、防振部材を介して遮蔽構造体と固定するものである。
【００１４】
また、他の手段は、遮蔽構造体を、防振構造を介して本体の外郭内に固定するものである。
【００１５】
また、他の手段は、遮蔽構造体を、本体の外郭内の上部と連結し固定するものである。
【００１６】
また、他の手段は、遮蔽構造体が、遮蔽構造体の下部に位置する本体外郭と連結されることで固定されているものである。
【００１７】
また、他の手段は、遮蔽構造体の内部に、吸音材を設けたものである。
【００１８】
また、他の手段は、遮蔽構造体の外部に、吸音材を設けたものである。
【発明の効果】
【００１９】
本発明によれば、冷媒を圧縮するための圧縮機と、通過する空気に放熱するための第一熱交換器と、前記冷媒を膨張するための流量制御弁と、前記通過する空気から吸熱するための第二熱交換器とを順に連結し、前記冷媒を流通させるための冷媒回路を設けた冷凍サイクルを本体の外郭内に配した浴室換気空調装置において、前記圧縮機の外周部に前記圧縮機の全体を覆う遮蔽構造体を設けたことにより、圧縮機からの音を遮蔽構造体の内部で閉じ込められ、圧縮機特有の音が製品から漏れること低減でき製品騒音値を下げることができるという効果のある浴室換気空調装置を提供することができる。
【００２０】
また、遮蔽構造体を、少なくとも、底辺には固定部材と、外周部には概略円筒状の円筒体と、上部には上部遮蔽体とで構成することにより、遮蔽構造体の組み立てを容易にすることができ、かつ、組み立て作業時間の短縮が図れるという効果のある浴室換気空調装置を提供することができる。
【００２１】
また、遮蔽構造体を、防振構造を介して本体の外郭内に固定することにより、振動、振動音を防振構造で吸収し、本体外郭に直接振動が伝わらないようにできるという効果のある浴室換気空調装置を提供することができる。
【００２２】
また、遮蔽構造体を、本体の外郭内の上部と連結し固定することにより、遮蔽構造体は支柱ボルトと防振構造で固定され、支柱ボルトと防振構造が固有振動を分散し共振しなくなるため、振動が減衰し浴室換気空調装置に伝えにくくなり、かつ、浴室換気空調装置の取り付ける構造物の強度によっては、浴室換気空調装置下面が弱く、振動が伝わりやすい場合があるので、振動源である遮蔽構造体を本体上部に固定することで振動の伝播を下面に伝えにくくできるという効果のある浴室換気空調装置を提供することができる。
【００２３】
また、遮蔽構造体を、本体の外郭内の下部と連結し固定することにより、圧縮機振動すなわち遮蔽構造体の振動は防振構造を介しているため、防振構造で振動を吸収するので、直接浴室換気空調装置の躯体に伝わらなく、かつ、遮蔽構造体の上部に空間スペースができることで、配管の引き回しの自由度が増し、曲げ部を多くとてるため、配管のばね作用が働き配管応力を低減できるという効果のある浴室換気空調装置を提供することができる。
【００２４】
また、圧縮機を、防振部材を介して遮蔽構造体と固定することにより、圧縮機の振動は振動部材で直接振動を吸収するため、浴室換気空調装置から外部への振動が伝わらないという効果のある浴室換気空調装置を提供することができる。
【００２５】
また、遮蔽構造体を、防振構造を介して本体の外郭内に固定することにより、遮蔽構造体内部の防振構造体、浴室換気空調装置の防振構造体で反対方向の振動を吸収しあうため、さらに圧縮機の振動を浴室換気空調装置に伝わりにくくし、浴室換気空調装置を取り付けてある躯体に振動を伝えにくくできるという効果のある浴室換気空調装置を提供することができる。
【００２６】
また、遮蔽構造体を、本体の外郭内の上部と連結し固定することにより、圧縮機の振動を遮蔽構造体内部で減衰させ、さらに、遮蔽構造体を浴室換気空調装置の天面から吊り下げてある一例としての支柱ボルトを介して防振構造を設けているため、上下左右の振幅を天面側に伝えにくくでき、浴室換気空調装置を取り付けてある構造物に振動を伝えにくくできるという効果のある浴室換気空調装置を提供することができる。
【００２７】
また、遮蔽構造体が、遮蔽構造体の下部に位置する本体外郭と連結されることで固定されていることにより、圧縮機の振動を遮蔽構造体内部で減衰させ、さらに、浴室換気空調装置の下部に設けた防振構造でさらに浴室換気空調装置を取り付けてある構造物に振動を伝えにくくできるという効果のある浴室換気空調装置を提供することができる。
【００２８】
また、遮蔽構造体の内部に、吸音材を設けたことにより、円筒体の内部に吸音材が圧縮機本体から発生する音を直接吸収するため、円筒体内部で音を低減しすることができ、円筒体外部に音漏れが少なく、浴室換気空調装置からの騒音値が下げられることができるという効果のある浴室換気空調装置を提供することができる。
【００２９】
また、遮蔽構造体の外部に、吸音材を設けたことにより、円筒体外周部に巻かれた吸音材が、円筒体外部に音漏れ音をさらに吸収することができるため、浴室換気空調装置からの騒音値をさらに下げられることができるという効果のある浴室換気空調装置を提供することができる。
【発明を実施するための最良の形態】
【００３０】
本発明の請求項１記載の浴室換気空調装置は、冷媒を圧縮するための圧縮機と、通過する空気に放熱するための第一熱交換器と、前記冷媒を膨張するための流量制御弁と、前記通過する空気から吸熱するための第二熱交換器とを順に連結し、前記冷媒を流通させるための冷媒回路を設けた冷凍サイクルを本体の外郭内に配した浴室換気空調装置において、前記圧縮機の外周部に前記圧縮機の全体を覆う遮蔽構造体を設けたこととしたものであり、圧縮機から発生する音が、遮蔽構造体により音が外部に伝わらないという作用を有する。
【００３１】
また、遮蔽構造体を、少なくとも、底辺には固定部材と、外周部には概略円筒状の円筒体と、上部には上部遮蔽体とで構成することとしたものであり、固定部材に圧縮機を設置し、圧縮機の側面外周を囲う円筒状の円筒体を上からかぶせ、さらに円筒体の上部を覆うための上部遮蔽体をのせるという作用を有する。
【００３２】
また、遮蔽構造体を、防振構造を介して本体の外郭内に固定することとしたものであり、圧縮機の振動が遮蔽構造体に伝わり、その遮蔽構造体の振動を防振構造により振動を吸収するという作用を有する。
【００３３】
また、遮蔽構造体を、本体の外郭内の上部と連結し固定することとしたものであり、遮蔽構造体の上部に位置する本体の外郭から一例として支柱ボルトを介して遮蔽構造体を防振構造を介して固定し、遮蔽構造体の振動すなわち圧縮機振動と防振構造と、支柱ボルトを設けることで振動を分散し、かつ、遮蔽構造体の上部に位置する本体の外郭、すなわち浴室換気空調装置内部の天面から一例としての支柱ボルトを下ろして圧縮機を支えているため、振動の伝わりは天面側で受けるという作用を有する。
【００３４】
また、遮蔽構造体を、本体の外郭内の下部と連結し固定することとしたものであり、遮蔽構造体の下部に位置する本体外郭に防振構造を介して固定するすれば、圧縮機振動すなわち遮蔽構造体の振動は防振構造を介しているため、防振構造で振動を吸収し、かつ、遮蔽構造体を浴室換気空調装置内部の底面に固定することで、遮蔽構造体の上部に空間スペースを作るという作用を有する。
【００３５】
また、圧縮機を、防振部材を介して遮蔽構造体と固定することとしたものであり、圧縮機が運転すると圧縮機の振動は防振部材を介して固定部材に固定してので、振動部材が圧縮機の上下方向の振幅、左右方向の振幅の揺れを遮蔽構造体内部で吸収するという作用を有する。
【００３６】
また、遮蔽構造体を、防振構造を介して本体の外郭内に固定することとしたものであり、圧縮機上下左右方向の振幅を減衰し、さらに、防振構造が遮蔽構造体の上下左右の振幅を減衰する、すなわち、圧縮機が上下左右に揺れれば、防振部材で振動を減衰しながら、遮蔽構造体へ圧縮機の揺れる方向の反対側に力が掛かり、さらに遮蔽構造体の防振構造で振動を減衰しながら圧縮機の振動の力は浴室換気空調装置の反対に掛かるという作用を有する。
【００３７】
また、遮蔽構造体を、本体の外郭内の上部と連結し固定することとしたものであり、圧縮機の上下方向の振幅、左右方向の振幅の揺れを遮蔽構造体内部で吸収し、遮蔽構造体の上下左右の振幅を防振構造が一例としての支柱ボルトを介して減衰するという作用を有する。
【００３８】
また、遮蔽構造体が、遮蔽構造体の下部に位置する本体外郭と連結されることで固定されていることとしたものであり、圧縮機の上下方向の振幅、左右方向の振幅の揺れを遮蔽構造体内部で吸収し、遮蔽構造体の上下左右の振幅を下部に設けた防振構造が振動を減衰するという作用を有する。
【００３９】
また、遮蔽構造体の内部に、吸音材を設けたこととしたものであり、圧縮機本体から発生する音は円筒体内部で吸音材が直接音を吸収するという作用を有する。
【００４０】
また、遮蔽構造体の外部に、吸音材を設けたこととしたものであり、円筒体内部で吸音した圧縮機音が、円筒体外周に伝播し伝播音となり、円筒体外周に出てきた音は、円筒体外周に巻かれた吸音材でさらに音を吸収するという作用を有する。
【００４１】
以下、本発明の実施の形態について、図面を参照しながら説明する。
【００４２】
（実施の形態１）
図１および図２に示すように、冷媒を圧縮するための圧縮機１と、通過する空気に放熱するための第一熱交換器１０３と、前記冷媒を膨張するための流量制御弁１０４と、前記通過する空気から吸熱するための第二熱交換器１０５とを順に連結し、前記冷媒を流通させるための冷媒回路を設けた冷凍サイクルを、本体の外郭内に配した浴室換気空調装置２において、前記圧縮機１の外周部に前記圧縮機１の全体を覆う遮蔽構造体３を設けた構成とする。
【００４３】
遮蔽構造体３は圧縮機底面にあたる圧縮機の足１１１を固定部材４にボルト５、ナット６で固定し、側面を側板、天面を天板で覆い囲む１つの箱体７となっており、吐出配管８、吸込配管９の引き回しは遮蔽構造体３内部に入れている。
【００４４】
上記構成により、圧縮機１から発生する音、吐出配管８、吸込配管９から発生する音は、圧縮機１と配管全体を覆い囲む遮蔽構造体３になっているため音が外部漏れない。
【００４５】
このように本発明の実施の形態１の浴室換気空調装置２によれば、圧縮機１からの音を遮蔽構造体３の内部で閉じ込めれ、圧縮機１特有の音が浴室換気空調装置２から漏れず製品騒音値を下げることができる。
【００４６】
（実施の形態２）
図３に示すように、遮蔽構造体３を、底辺には固定部材４と、圧縮機１外周部には圧縮機１周囲を包む形状の円筒状の円筒体１０と、上部には上部遮蔽体１１として、２枚の遮蔽体で上部を塞ぐ構成とする。
【００４７】
上記構成により、圧縮機１を固定部材４に設置し、圧縮機１の側面外周を囲う円筒状の円筒体１０を上からかぶせ、さらに円筒体１０の上部を覆い、吐出配管８、吸込配管９をはさむように円筒体１０の上部遮蔽体１１をのせる。
【００４８】
このように本発明の実施の形態２の浴室換気空調装置２によれば、遮蔽構造体３の圧縮機１外周部には圧縮機１周囲を包む形状の円筒状の円筒体１０とすることで、配管引き回しスペースが遮蔽構造体３の周りに出来、配管応力がかからないトラップ形状がたくさんでき、さらに、上部遮蔽体１１として、２枚の遮蔽体で上部を塞ぐので、圧縮機１に配管を溶接接続した後に、上部遮蔽体１１で上部を塞ぐので、圧縮機１の密閉でき、音漏れをなくし、圧縮機１底面、圧縮機１外周、圧縮機１天面の順に組み立てができるため、組み立て作業が容易にでき、さらに時間の短縮が図れることとなる。
【００４９】
（実施の形態３）
図４に示すように、遮蔽構造体３を、防振構造１７を介して本体の外郭内に固定する構成とし、遮蔽構造体３を本体の外郭内の上部と連結し固定するために支柱ボルト１２とレール１３と防振ゴム１４とワッシャー１５とナット１６から構成する防振構造１７．を介して固定する構成について説明する。
【００５０】
本体外郭のレール１３に支柱ボルト１２を通し、防振ゴム１４を遮蔽構造体３の圧縮機１周囲を包む形状の円筒状の円筒体１０の４隅に設けた穴に防振ゴム１４を取り付け、ワッシャー１５とナット１６で固定する。
【００５１】
上記構成において遮蔽構造体３の振動すなわち圧縮機１振動は、支柱ボルト１２で吊った状態になっており、防振ゴム１４で振動を吸収することで、天面側で受ける振動の伝わりを低減できる。
【００５２】
このように本発明の実施の形態３の浴室換気空調装置２によれば、遮蔽構造体３は支柱ボルト１２とレール１３と防振ゴム１４とワッシャー１５とナット１６から構成する防振構造１７が固有振動を分散し共振しなくなるため、振動が減衰し浴室換気空調装置２に伝えにくくなる。
【００５３】
また、浴室換気空調装置の取り付ける構造物の強度によっては、浴室換気空調装置２下面が弱く、振動が伝わりやすい場合は、遮蔽構造体を本体上部に固定することで振動の伝播を本体上部で受け、下面に伝えにくくできる。また、ここでは防振ゴム１４を使用し防振構造を作ったが、弾性のあるばねを使用してもよい。
【００５４】
（実施の形態４）
図５に示すように、遮蔽構造体３を本体の外郭内の下部と連結し固定するために固定部材４にボルト１８と防振ゴム１４とワッシャー１５からなる防振構造１７を介して浴室換気空調装置２内部に固定する。
【００５５】
遮蔽構造体３の下部に位置する固定部材４の四隅に穴を設け、ボルト１８と防振ゴム１４とワッシャー１５を固定部材４に取り付け、浴室換気空調装置２内部に配置する。
【００５６】
上記構成において、圧縮機１振動すなわち遮蔽構造体３の振動は、遮蔽構造体３の下部に位置する固定部材４の防振ゴム１４によって振動を吸収し、また、遮蔽構造体３を浴室換気空調装置２内部の底面に固定しているため、遮蔽構造体３の上部に空間スペースを作ることがでる。
【００５７】
このように本発明の実施の形態４の浴室換気空調装置２によれば、圧縮機１振動すなわち遮蔽構造体３の振動は防振構造１７を介しているため、防振構造１７で振動を吸収するので、直接浴室換気空調装置２の躯体に伝わらなく、かつ、遮蔽構造体３の上部に空間スペースができることで、配管の引き回しの自由度が増し、曲げ部を多くとてるため、配管のばね作用が働き配管応力を低減できることとなる。
【００５８】
（実施の形態５）
図６に示すように、圧縮機１を、防振部材である防振ゴム１４とボルト１８とワッシャー１５とナット１６を用いて遮蔽構造体３と固定する構成とする。
【００５９】
上記構成により、圧縮機１を防振ゴム１４とボルト１８とワッシャー１５とナット１６を用いて固定部材４に固定し、遮蔽構造体３で圧縮機１を密閉する。
【００６０】
このように本発明の実施の形態６の浴室換気空調装置２によれば、圧縮機１が運転すると圧縮機１の振動は防振部材である防振ゴム１４を介して固定部材４に設置しているので、圧縮機１の上下方向の振幅、左右方向の振幅の揺れを防振部材である防振ゴム１４吸収する。
【００６１】
また、遮蔽構造体３で圧縮機１を密閉しているため、浴室換気空調装置２から音漏れ、圧縮機１振動が浴室換気空調装置２伝わりにくくできる。
【００６２】
（実施の形態６）
図７示すように、実施の形態５の遮蔽構造体３を実施の形態３の遮蔽構造体３の上部に位置する本体外郭のレール１３と支柱ボルト１２と防振ゴム１４を介して浴室換気空調装置２内部に固定する構成としたものである。
【００６３】
上記構成のようにすれば、遮蔽構造体３が圧縮機１上下左右方向の振幅を減衰し、さらに、防振構造１７が遮蔽構造体３の上下左右の振幅を減衰する、すなわち、圧縮機１が上下左右に揺れれば、防振ゴム１４で振動を減衰しながら遮蔽構造体３を上下左右に揺らすが、防振構造１７で遮蔽構造体３の上下左右の揺れを減衰しながらさらに圧縮機１の振動を減衰する。
【００６４】
このように本発明の実施の形態６の浴室換気空調装置２によれば、圧縮機１の振動を遮蔽構造体３内部で減衰させ、さらに、遮蔽構造体３を浴室換気空調装置２の天面から吊り下げてある支柱ボルトを介して防振構造１７を設けているため、上下左右の振幅を天面側に伝えにくくでき、浴室換気空調装置２を取り付けてある構造物に振動を伝えにくくできることとなる。
【００６５】
（実施の形態７）
図８示すように、実施の形態５の遮蔽構造体３を実施の形態４の固定部材４にボルト１８と防振ゴム１４とワッシャー１５からなる防振構造１７を介して浴室換気空調装置２内部に固定した構成のものである。
【００６６】
上記構成のようにすれば、遮蔽構造体３が圧縮機１上下左右方向の振幅を減衰し、さらに、防振構造１７が遮蔽構造体３の上下左右の振幅を減衰する、すなわち、圧縮機１が上下左右に揺れれば、防振ゴム１４で振動を減衰しながら遮蔽構造体３を上下左右に揺らすが、防振構造１７で遮蔽構造体３の上下左右の揺れを減衰しながらさらに圧縮機１の振動を減衰する。
【００６７】
このように本発明の実施の形態７の浴室換気空調装置２によれば、圧縮機１の振動を遮蔽構造体３内部で減衰させ、さらに、浴室換気空調装置２の下部に設けた防振構造１７でさらに浴室換気空調装置２を取り付けてある構造物に振動を伝えにくくできることとなる。
【００６８】
（実施の形態８）
図９に示すように、実施の形態６に加え、遮蔽構造体３の内部に、吸音材１９を設けた構成とする。
【００６９】
上記構成により、圧縮機１から発生する音は円筒体１０内部設けた吸音材１９が直接音を吸収する。
【００７０】
このように本発明の実施の形態１０の浴室換気空調装置２によれば、円筒体１０の内部に設けた吸音材１９が圧縮機１から発生する音を直接吸収するため、円筒体１０外部に音漏れが少なく、浴室換気空調装置２からの騒音値が下げられることができることとなる。
【００７１】
（実施の形態９）
図１０に示すように、実施の形態９に加え、遮蔽構造体３の外部に、吸音材１９を設けた構成とする。
【００７２】
上記構成により、円筒体１０内部で吸音した圧縮機１の音が、円筒体１０外周に伝播し伝播音となり、円筒体１０外周に出てきた音は、円筒体１０外周に巻かれた吸音材１９でさらに音を吸収する。
【００７３】
このように本発明の実施の形態９の浴室換気空調装置２によれば、円筒体１０外周部に巻かれた吸音材１９が、円筒体１０外部に音漏れ音をさらに吸収することができるため、浴室換気空調装置２からの騒音値をさらに下げられることができることとなる。
【産業上の利用可能性】
【００７４】
圧縮機を搭載した浴室換気空調装置の遮蔽構造体の防振構造を設けることによって、圧縮機周りの遮蔽構造を容易に組み立てができ、さらに、騒音及び振動を防止する装置に適用できる。
【図面の簡単な説明】
【００７５】
【図１】本発明の実施の形態１の浴室換気空調装置の構成を示す断面図
【図２】同浴室換気空調装置の構成図
【図３】本発明の実施の形態２の浴室換気空調装置の構成図
【図４】本発明の実施の形態３の浴室換気空調装置の構成図
【図５】本発明の実施の形態４の浴室換気空調装置の構成図
【図６】本発明の実施の形態５の浴室換気空調装置の構成図
【図７】本発明の実施の形態６の浴室換気空調装置の構成図
【図８】本発明の実施の形態７の浴室換気空調装置の構成図
【図９】本発明の実施の形態８の浴室換気空調装置の構成図
【図１０】本発明の実施の形態９の浴室換気空調装置の構成図
【図１１】従来の冷凍サイクルを構成する圧縮機の構成を示すサイクル図
【符号の説明】
【００７６】
１    圧縮機
２    浴室換気空調装置
３    遮蔽構造体
４    固定部材
５    ボルト
６    ナット
７    箱体
８    吐出配管
９    吸込配管
１０  円筒体
１１  上部遮蔽体
１２  支柱ボルト
１３  レール
１４  防振ゴム
１５  ワッシャー
１６  ナット
１７  防振構造
１８  ボルト
１９  吸音材
【図１】
2008232492.tif 000003
【図２】
2008232492.tif 000004
【図３】
2008232492.tif 000005
【図４】
2008232492.tif 000006
【図５】
2008232492.tif 000007
【図６】
2008232492.tif 000008
【図７】
2008232492.tif 000009
【図８】
2008232492.tif 000010
【図９】
2008232492.tif 000011
【図１０】
2008232492.tif 000012
【図１１】
2008232492.tif 000013